(57)【要約】【課題】車両が走行制御装置による自動運転を行う際に、走行距離に対する列車の走行時間が短くなる走行制御装置を提供する。【解決手段】走行制御装置は、制限情報取得部と、現在位置取得部と、現在速度取得部と、走行曲線生成部と、速度指令部と、を備える。制限情報取得部は、制限速度開始位置で所定の減速完了速度とするための各位置での制限速度を設定する車両速度制限部から、制限速度情報と当該制限速度と対応する位置情報とからなる制限情報を取得する。現在位置取得部は、車両の現在位置を取得する。現在速度取得部は、車両の現在速度を取得する。走行曲線生成部は、取得した制限情報と、現在位置と、現在速度とに基づいて、制限情報から得られる各位置における制限速度を満たす走行曲線を生成する。速度指令部は、生成した走行曲線と、現在位置とに基づいて速度指令を生成する。【選択図】図１
2015139314.tif 000002
【特許請求の範囲】
【請求項１】
車両に搭載され、前記車両の位置に応じた走行速度を設定して前記車両を走行させる走行制御装置であって、
制限速度開始位置で所定の減速完了速度とするための複数の位置での制限速度を設定する車両速度制限部から、制限速度情報と当該制限速度と対応する位置情報とからなる制限情報を取得する制限情報取得部と、
車両の現在位置を取得する現在位置取得部と、
車両の現在速度を取得する現在速度取得部と、
取得した制限情報と、現在位置と、現在速度とに基づいて、制限情報から得られる各位置における制限速度を満たす走行曲線を生成する走行曲線生成部と、
生成した走行曲線と、現在位置とに基づいて速度指令を生成する速度指令部と、
を備える走行制御装置。
【請求項２】
前記制限情報取得部は、制限速度曲線の状態を現在位置からの相対位置の配列として制限情報を取得し、
前記走行曲線生成部は、当該制限情報に基づいて走行曲線を生成する
請求項１に記載の走行制御装置。
【請求項３】
前記制限情報取得部は、現在位置からの相対位置の配列のうち代表的な速度に対する配列のみを含む制限情報を取得し、
前記走行曲線生成部は、当該制限情報に基づいて走行曲線を生成する
請求項１または請求項２に記載の走行制御装置。
【請求項４】
前記制限情報取得部は、現在位置から減速完了位置までの相対位置と、速度と、保証減速度とを含む制限情報を取得し、
前記走行曲線生成部は、当該制限情報に基づいて走行曲線を生成する
請求項１または請求項２に記載の走行制御装置。
【請求項５】
制限速度開始位置で所定の減速完了速度とするための各位置での制限速度を設定する車両速度制限部と、
前記車両速度制限部から、制限速度情報と当該制限速度と対応する位置情報とからなる制限情報を取得する制限情報取得部と、
車両の現在位置を取得する現在位置取得部と、
車両の現在速度を取得する現在速度取得部と、
取得した制限情報と、現在位置と、現在速度とに基づいて、制限情報から得られる各位置における制限速度を満たす走行曲線を生成する走行曲線生成部と、
生成した走行曲線と、現在位置とに基づいて速度指令を生成する速度指令部と、
を備える車両。
【請求項６】
制限速度開始位置で所定の減速完了速度とするための各位置での制限速度を設定する車両速度制限部と、
前記車両速度制限部から、制限速度情報と当該制限速度と対応する位置情報とからなる制限情報を取得する制限情報取得部と、
車両の現在位置を取得する現在位置取得部と、
車両の現在速度を取得する現在速度取得部と、
取得した制限情報と、現在位置と、現在速度とに基づいて、制限情報から得られる各位置における制限速度を満たす走行曲線を生成する走行曲線生成部と、
生成した走行曲線と、現在位置とに基づいて速度指令を生成する速度指令部と、
を備える車両と、
をさらに備える交通システム。
【請求項７】
車両に搭載され、前記車両の位置に応じた走行速度を設定して前記車両を走行させる制御方法であって、
制限速度開始位置で所定の減速完了速度とするための各位置での制限速度を設定する車両速度制限部から、制限速度情報と当該制限速度と対応する位置情報とからなる制限情報を取得し、
車両の現在位置を取得し、
車両の現在速度を取得し、
取得した制限情報と、現在位置と、現在速度とに基づいて、制限情報から得られる各位置における制限速度を満たす走行曲線を生成し、
生成した走行曲線と、現在位置とに基づいて速度指令を生成する制御方法。
【請求項８】
車両に搭載され、前記車両の位置に応じた走行速度を設定して前記車両を走行させる走行制御装置のコンピュータを、
制限速度開始位置で所定の減速完了速度とするための各位置での制限速度を設定する車両速度制限部から、制限速度情報と当該制限速度と対応する位置情報とからなる制限情報を取得する制限情報取得手段と、
車両の現在位置を取得する現在位置取得手段と、
車両の現在速度を取得する現在速度取得手段と、
取得した制限情報と、現在位置と、現在速度とに基づいて、制限情報から得られる各位置における制限速度を満たす走行曲線を生成する走行曲線生成手段と、
生成した走行曲線と、現在位置とに基づいて速度指令を生成する速度指令手段
として機能させるプログラム。
【発明の詳細な説明】
【技術分野】
【０００１】
本発明は、走行制御装置、車両、交通システム、制御方法、及びプログラムに関する。
【背景技術】
【０００２】
鉄道システムの中には、列車を安全運転させるために、列車が所定の速度を超えると自動的にブレーキを作動させるＡＴＰ（Ａｕｔｏｍａｔｉｃ  Ｔｒａｉｎ  Ｐｒｏｔｅｃｔｉｏｎ）装置を備えているものがある。また、鉄道システムの中には、列車の自動運転化や列車の運転の省エネルギ化を目的としたＡＴＯ（Ａｕｔｏ  Ｔｒａｉｎ  Ｏｐｅｒａｔｉｏｎ）装置を備えているものもある。
特許文献１には、関連する技術として、ＡＴＰ装置とＡＴＯ装置の両方を備え、列車を安全に停止させると共に、運行遅れを生じない列車の自動運転を実現する技術が記載されている。
【先行技術文献】
【特許文献】
【０００３】
【特許文献１】特開２０１０−２８９２６号公報
【発明の概要】
【発明が解決しようとする課題】
【０００４】
ところで、鉄道システムにおいて、ＡＴＰとＡＴＯは独立した機能であり、一般的に、ＡＴＰ装置とＡＴＯ装置はハードウェアとして分離されている。そのため、ＡＴＰ装置とＡＴＯ装置の両方を備える鉄道システムでは、ＡＴＰ装置の認識位置誤差とＡＴＯ装置の認識位置誤差の最大値の合計をマージンとして持つように設計されている。また、特許文献１に記載の技術を用いた鉄道システムにおいても、ＡＴＰ装置とＡＴＯ装置のそれぞれが位置を演算しているため、それぞれの認識位置誤差の最大値の合計をマージンとする設計がされている。その結果、車両が自動運転を行う際に、マージンを認識位置誤差の最大値の合計よりも小さくすることができず、走行距離に対する列車の走行時間が長くなってしまう可能性がある。
【０００５】
そこでこの発明は、上記の課題を解決することのできる走行制御装置、車両、交通システム、制御方法、及びプログラムを提供することを目的としている。
【課題を解決するための手段】
【０００６】
上記目的を達成するために、本発明の一態様によれば、走行制御装置は、車両に搭載され、前記車両の位置に応じた走行速度を設定して前記車両を走行させる走行制御装置である。走行制御装置は、制限情報取得部と、現在位置取得部と、現在速度取得部と、走行曲線生成部と、速度指令部と、を備える。制限情報取得部は、制限速度開始位置で所定の減速完了速度とするための複数の位置での制限速度を設定する車両速度制限部から、制限速度情報と当該制限速度と対応する位置情報とからなる制限情報を取得する。現在位置取得部は、車両の現在位置を取得する。現在速度取得部は、車両の現在速度を取得する。走行曲線生成部は、取得した制限情報と、現在位置と、現在速度とに基づいて、制限情報から得られる各位置における制限速度を満たす走行曲線を生成する。速度指令部は、生成した走行曲線と、現在位置とに基づいて速度指令を生成する。
【０００７】
また本発明の別の態様によれば、前記走行制御装置が備える前記制限情報取得部は、制限速度曲線の状態を現在位置からの相対位置の配列として制限情報を取得する。前記走行制御装置が備える前記走行曲線生成部は、当該制限情報に基づいて走行曲線を生成する。
【０００８】
また本発明の別の態様によれば、前記走行制御装置が備える前記制限情報取得部は、現在位置からの相対位置の配列のうち代表的な速度に対する配列のみを含む制限情報を取得する。前記走行制御装置が備える前記走行曲線生成部は、当該制限情報に基づいて走行曲線を生成する。
【０００９】
また本発明の別の態様によれば、前記走行制御装置が備える前記制限情報取得部は、現在位置から減速完了位置までの相対位置と、速度と、保証減速度とを含む制限情報を取得する。前記走行制御装置が備える前記走行曲線生成部は、当該制限情報に基づいて走行曲線を生成する。
【００１０】
また本発明の別の態様によれば、車両は、車両速度制限部と、走行制御装置とを備える。車両速度制限部は、制限速度開始位置で所定の減速完了速度とするための各位置での制限速度を設定する。走行制御装置は、制限情報取得部と、現在位置取得部と、現在速度取得部と、走行曲線生成部と、速度指令部と、を備える。制限情報取得部は、前記車両速度制限部から、制限速度情報と当該制限速度と対応する位置情報とからなる制限情報を取得する。現在位置取得部は、車両の現在位置を取得する。現在速度取得部は、車両の現在速度を取得する。走行曲線生成部は、取得した制限情報と、現在位置と、現在速度とに基づいて、制限情報から得られる各位置における制限速度を満たす走行曲線を生成する。速度指令部は、生成した走行曲線と、現在位置とに基づいて速度指令を生成する。
【００１１】
また本発明の別の態様によれば、交通システムは、車両と、地上ＡＴＰ装置とを備える。車両は、車両速度制限部と、制限情報取得部と、走行制御装置とを備える。走行制御装置は、現在位置取得部と、現在速度取得部と、走行曲線生成部と、速度指令部と、を備える。車両速度制限部は、制限速度開始位置で所定の減速完了速度とするための各位置での制限速度を設定する。制限情報取得部は、前記車両速度制限部から、制限速度情報と当該制限速度と対応する位置情報とからなる制限情報を取得する。現在位置取得部は、車両の現在位置を取得する。現在速度取得部は、車両の現在速度を取得する。走行曲線生成部は、取得した制限情報と、現在位置と、現在速度とに基づいて、制限情報から得られる各位置における制限速度を満たす走行曲線を生成する。速度指令部は、生成した走行曲線と、現在位置とに基づいて速度指令を生成する。地上ＡＴＰ装置は、前記車両速度制限部に前記制限速度開始位置を出力する。
【００１２】
また本発明の別の態様によれば、制御方法は、車両に搭載され、前記車両の位置に応じた走行速度を設定して前記車両を走行させる制御方法であって、制限速度開始位置で所定の減速完了速度とするための各位置での制限速度を設定する車両速度制限部から、制限速度情報と当該制限速度と対応する位置情報とからなる制限情報を取得し、車両の現在位置を取得し、車両の現在速度を取得し、取得した制限情報と、現在位置と、現在速度とに基づいて、制限情報から得られる各位置における制限速度を満たす走行曲線を生成し、生成した走行曲線と、現在位置とに基づいて速度指令を生成する方法である。
【００１３】
また本発明の別の態様によれば、プログラムは、車両に搭載され、前記車両の位置に応じた走行速度を設定して前記車両を走行させる走行制御装置のコンピュータを、制限速度開始位置で所定の減速完了速度とするための各位置での制限速度を設定する車両速度制限部から、制限速度情報と当該制限速度と対応する位置情報とからなる制限情報を取得する制限情報取得手段と、車両の現在位置を取得する現在位置取得手段と、車両の現在速度を取得する現在速度取得手段と、取得した制限情報と、現在位置と、現在速度とに基づいて、制限情報から得られる各位置における制限速度を満たす走行曲線を生成する走行曲線生成手段と、生成した走行曲線と、現在位置とに基づいて速度指令を生成する速度指令手段として機能させるプログラムである。
【発明の効果】
【００１４】
本発明の実施形態による走行制御装置によれば、車両が走行制御装置による自動運転を行う際に、走行距離に対する列車の走行時間が短くなる。
【図面の簡単な説明】
【００１５】
【図１】本発明の第一の実施形態による走行制御装置３を備える交通システム１の一例を示す図である。
【図２】第一の実施形態による制限情報取得部１０１が車両速度制限部１００から取得する制限情報の一例を示す図である。
【図３】第一の実施形態による走行制御装置３が生成する走行曲線の一例を示す図である。
【図４】本発明の第一の実施形態による走行制御装置３を備える交通システム１の処理フローの一例を示す図である。
【図５】本発明の第二の実施形態による走行制御装置３を備える交通システム１の処理フローの一例を示す図である。
【図６】第二の実施形態による走行制御装置３が生成する走行曲線の一例を示す図である。
【図７】本発明の第三の実施形態による走行制御装置３を備える交通システム１の処理フローの一例を示す図である。
【発明を実施するための形態】
【００１６】
＜第一の実施形態＞
図１は、本発明の第一の実施形態による走行制御装置３を備える交通システム１の一例を示す図である。
図１で示すように、第一の実施形態による交通システム１は、車両２と、地上ＡＴＰ（Ａｕｔｏｍａｔｉｃ  Ｔｒａｉｎ  Ｐｒｏｔｅｃｔｉｏｎ）装置２００とを備える。
車両２は、第一の実施形態による走行制御装置３と、車両速度制限部１００とを備える。
走行制御装置３は、ＡＴＯ（Ａｕｔｏ  Ｔｒａｉｎ  Ｏｐｅｒａｔｉｏｎ）装置であり、制限情報取得部１０１と、現在位置取得部１０２と、現在速度取得部１０３と、走行曲線生成部１０４と、速度指令部１０５とを備える。また、車両速度制限部１００は、車上ＡＴＰ装置である。
【００１７】
地上ＡＴＰ装置２００は、地上に設けられ、制限速度開始位置と、制限情報とを車両速度制限部１００に送信する。制限情報は、制限速度情報と当該制限速度と対応する位置情報とを含む。
車両速度制限部１００は、制限速度開始位置と、制限情報とを地上ＡＴＰ装置２００から取得する。また、車両速度制限部１００は、車両２の現在速度を車両２が備える速度計から取得する。車両速度制限部１００は、取得した制限速度開始位置に基づいて、当該制限速度開始位置で所定の減速完了速度とするための複数の位置のそれぞれに制限速度を設定する。車両速度制限部１００は、取得した制限情報を制限情報取得部１０１に出力する。
【００１８】
制限情報取得部１０１は、車両速度制限部１００から、制限速度情報と当該制限速度と対応する位置情報とからなる制限情報を取得する。制限情報取得部１０１は、取得した制限情報を走行曲線生成部１０４に出力する。
現在速度取得部１０３は、車両２が備える速度計から車両２の現在速度を取得する。現在速度取得部１０３は、取得した現在速度を現在位置取得部１０２と走行曲線生成部１０４に出力する。
現在位置取得部１０２は、地上ＡＴＰ装置２００から制限速度開始位置を取得する。現在位置取得部１０２は、取得した制限速度開始位置と現在速度取得部１０３から入力する現在速度の積算値とに基づいて、現在位置を算出する。現在位置取得部１０２は、算出した現在位置を走行曲線生成部１０４と、速度指令部１０５とに出力する。
【００１９】
走行曲線生成部１０４は、入力した制限情報と、現在位置と、現在速度とに基づいて、制限情報から得られる各位置における制限速度を満たす走行曲線を生成する。走行曲線とは、速度と距離の関係を示す曲線である。走行曲線生成部１０４は、生成した走行曲線を速度指令部１０５に出力する。
速度指令部１０５は、入力した走行曲線と、現在位置とに基づいて速度指令を生成する。速度指令部１０５は、速度指令を車両２の速度を制御する制御部に出力する。
【００２０】
図２は、第一の実施形態による制限情報取得部１０１が車両速度制限部１００から取得する制限情報の一例を示す図である。
車両速度制限部１００は、制限情報が示す速度と距離の関係を示す制限速度曲線の状態を現在位置からの相対位置の配列として制限情報取得部１０１に出力する。また、このとき、車両速度制限部１００は、認識している現在位置に対して最大位置誤差分のマージンを持たせた位置を現在位置として現在位置取得部１０２に出力する。
【００２１】
なお、一般的に、制限速度曲線は、空走時間（車両速度制限部１００が速度超過を察知してからブレーキが効き始めるまでの時間）Ｔｄと、ワーストケースでも列車の減速が保証される保証減速度βを用いて、式（１）で表される。
【００２２】
【数１】
2015139314.tif 000003
【００２３】
この式（１）は、停止位置または制限速度開始位置ｘｂと、減速完了速度ｖｂとが与えられたときの速度ｖに対する制限速度位置ｘａｔｐ（ｖ）を示している。
車両速度制限部１００は、地上ＡＴＰ装置２００から取得した制限速度開始位置と式（１）とに基づいて、制限速度曲線を設定する。
【００２４】
図３は、第一の実施形態による走行制御装置３が生成する走行曲線の一例を示す図である。
走行制御装置３が備える制限情報取得部１０１は、車両速度制限部１００が認識している現在位置に対して最大位置誤差分のマージンを持たせた位置を現在位置とした相対位置の配列を含む制限情報を車両速度制限部１００から入力する。制限情報取得部１０１は、入力した制限情報を走行曲線生成部１０４に出力する。
【００２５】
走行曲線生成部１０４は、制限情報取得部１０１から取得した制限情報と、現在位置取得部１０２から取得した現在位置と、現在速度取得部１０３から取得した現在速度とに基づいて、制限情報から得られる各位置における制限速度を満たす走行曲線を生成する。
車上ＡＴＰ装置である車両速度制限部１００とＡＴＯ装置が備える現在位置取得部１０２とは同一の地上ＡＴＰ装置２００から取得する制限速度開始位置に基づいて現在位置を認識している。そのため、走行曲線生成部１０４は、現在位置取得部１０２から取得した現在位置に対して、地上ＡＴＰ装置２００から車両速度制限部１００までの信号の伝送時間と、地上ＡＰ装置２００から現在位置取得部１０２までの信号の伝送時間との伝送時間差に起因する認識位置誤差のみをマージンとして持っていれば良い。その結果、走行曲線生成部１０４は、ＡＴＰ装置の認識位置誤差と伝送時間差に起因する認識位置誤差の最大値の合計をマージンとして持つことになる。通常、伝送時間差に起因する認識位置誤差はＡＴＰ装置の認識位置誤差に比べてほぼ無視できる程度に小さいため、走行曲線生成部１０４は、ＡＴＯ装置の認識位置誤差の分のマージンを低減することができる。走行曲線生成部１０４は、現在位置に対する相対位置の配列を含む制限情報を制限情報取得部１０１から入力する。走行曲線生成部１０４が制限情報取得部１０１から入力する制限情報に含まれる各相対位置の精度を高めたい場合、走行曲線生成部１０４は、各配列の間の値を例えば線形補間して制限速度曲線を生成する。そして、走行曲線生成部１０４は、制限速度曲線に対して例えば５キロメートル毎時のマージンを持たせた曲線を目標の走行曲線として生成する。
【００２６】
図４は、本発明の第一の実施形態による走行制御装置３を備える交通システム１の処理フローの一例を示す図である。
次に、第一の実施形態による走行制御装置３を備える交通システム１の処理について説明する。
なお、第一の実施形態による交通システム１が備える車両２は、式（１）における保証減速度βなどの走行条件が地上ＡＴＰ装置２００の設置位置毎に変化する路面を走行するものとする。また、車両速度制限部１００は、走行条件が変化する毎に地上ＡＴＰ装置２００から制限速度開始位置と、制限情報と、車両の現在位置とを取得するものとする。またこのとき、現在位置取得部１０２は、地上ＡＴＰ装置２００から制限速度開始位置を取得するものとする。
【００２７】
交通システム１において、車両２の走行中に、車両２が備える車両速度制限部１００は、地上ＡＴＰ装置２００と無線通信を行う。そして、車両速度制限部１００は、地上ＡＴＰ装置２００から制限速度開始位置と、制限情報と、車両２の現在位置と、車両２の現在速度とを取得する（ステップＳ１）。
車両速度制限部１００は、地上ＡＴＰ装置２００から取得した制限速度開始位置と式（１）とに基づいて、当該制限速度開始位置で所定の減速完了速度とするための各位置での制限速度、すなわち制限速度曲線を設定する（ステップＳ２）。
【００２８】
車両速度制限部１００は、制限速度開始位置と式（１）とに基づいて取得した制限速度曲線の状態を現在位置からの相対位置の配列を含む制限情報として走行制御装置３が備える制限情報取得部１０１に出力する（ステップＳ３）。
制限情報取得部１０１は、車両速度制限部１００から現在位置からの相対位置の配列を含む制限情報を入力すると、入力した制限情報を走行曲線生成部１０４に出力する。
また、現在速度取得部１０３は、車両２が備える速度計から車両２の現在速度を取得する（ステップＳ４）。現在速度取得部１０３は、取得した現在速度を現在位置取得部１０２と走行曲線生成部１０４に出力する。
現在位置取得部１０２は、現在速度取得部１０３から現在速度を入力すると、地上ＡＴＰ装置２００から取得した制限速度開始位置と入力した現在速度の積算値とに基づいて、現在位置を算出する（ステップＳ５）。現在位置取得部１０２は、算出した現在位置を走行曲線生成部１０４に出力する。
【００２９】
走行曲線生成部１０４は、制限情報取得部１０１から制限情報を入力する。走行曲線生成部１０４は、現在速度取得部１０３から現在速度を入力する。また、走行曲線生成部１０４は、現在位置取得部１０２から現在位置を入力する。すると、入力した制限情報と、現在位置と、現在速度とに基づいて、制限情報から得られる各位置における制限速度を満たす走行曲線を生成する（ステップＳ６）。例えば、走行曲線生成部１０４は、図３で示したように、現在位置と現在速度とに基づいて走行制御装置３の認識位置である現在位置を求め、その現在位置と制限情報に含まれる現在位置からの相対位置の配列とにより制限速度曲線を求める。そして、走行曲線生成部１０４は、求めた制限速度曲線に対して制限速度の誤差分のマージンを持たせた目標走行曲線を生成する。走行曲線生成部１０４は、例えば５キロメートル毎時のマージンを持たせた曲線を目標走行曲線として生成する。
【００３０】
走行曲線生成部１０４は、生成した走行曲線を速度指令部１０５に出力する。
速度指令部１０５は、入力した走行曲線と、現在位置とに基づいて速度指令を生成する（ステップＳ７）。速度指令部１０５は、速度指令を車両２の速度を制御する制御部に出力する（ステップＳ８）。
【００３１】
以上、本発明の第一の実施形態による走行制御装置３を備える交通システム１の処理フローについて説明した。上述の交通システム１が備える走行制御装置３により、地上ＡＴＰ装置２００から取得した制限速度開始位置に基づいて、当該制限速度開始位置で所定の減速完了速度とするための各位置での制限速度を設定する。走行制御装置３は、制限速度情報と当該制限速度と対応する位置情報とからなる制限情報を取得する。走行制御装置３は、車両２の現在位置を取得し、車両２の現在速度を取得し、取得した制限情報と、現在位置と、現在速度とに基づいて、制限情報から得られる各位置における制限速度を満たす走行曲線を生成する。走行制御装置３は、生成した走行曲線と、現在位置とに基づいて速度指令を生成する。
このようにすれば、車両２が走行制御装置３による自動運転を行う際に、走行距離に対する列車の走行時間が短くなる。
【００３２】
＜第二の実施形態＞
図５は、本発明の第二の実施形態による走行制御装置３を備える交通システム１の処理フローの一例を示す図である。
また、図６は、第二の実施形態による走行制御装置３が生成する走行曲線の一例を示す図である。
次に、図５と図６を用いて、第二の実施形態による走行制御装置３を備える交通システム１の処理について説明する。
なお、第二の実施形態による交通システム１が備える車両２は、勾配などが変化し、式（１）で示した保証減速度βなどの走行条件が変化する路面を走行するものとする。また、走行制御装置３は、後述する式（２）〜式（４）を保持しているものとする。
また、ここでは第一の実施形態と異なる処理ステップのみ詳しく説明する。
【００３３】
ステップＳ１とステップＳ２の処理を行い、第二の実施形態による車両速度制限部１００は、第一の実施形態と同様に、現在位置からの相対位置の配列を生成した後、現在位置からの相対位置の配列のうち代表的な２つの速度に対する配列のみを含む制限情報を走行制御装置３に出力する（ステップＳ９）。例えば現在速度の小数点以下を切り捨てた速度ｖ１と、速度ｖ１における現在位置からの相対距離ｘ１と、ｖ１よりも１キロメートル毎時遅い速度ｖ２と、速度ｖ２における現在位置からの相対距離ｘ２とを含む制限情報を走行制御装置３に出力する。そして、ステップＳ４とステップＳ５の処理を行う。
【００３４】
走行制御装置３が備える制限情報取得部１０１は、車両速度制限部１００から、現在位置からの相対位置の配列のうち代表的な２つの速度に対する配列のみを含む制限情報を入力する。制限情報取得部１０１は、車両速度制限部１００から入力した制限情報を走行曲線生成部１０４に出力する。
現在位置取得部１０２は、車両速度制限部１００から現在位置を入力する。現在位置取得部１０２は、車両速度制限部１００から入力した現在位置を走行曲線生成部１０４に出力する。
現在速度取得部１０３は、車両速度制限部１００から現在速度を入力する。現在速度取得部１０３は、車両速度制限部１００から入力した現在速度を走行曲線生成部１０４に出力する。
【００３５】
走行曲線生成部１０４は、制限情報取得部１０１と現在位置取得部１０２と現在速度取得部１０３のそれぞれから制限情報と現在位置と現在速度を入力する。そして、走行曲線生成部１０４は、保持している以下に示す式（２）に、入力した制限情報を代入して、保証減速度βと原則完了位置の相対位置ｄｂを算出する。
【００３６】
【数２】
2015139314.tif 000004
【００３７】
次に、走行曲線生成部１０４は、保持している以下に示す式（３）に、車両速度制限部１００から入力した現在位置と、現在速度と、算出した保証減速度βと、相対位置ｄｂとを代入する。そして、走行曲線生成部１０４は、図６で示す制限速度曲線を生成する（ステップＳ１０）。
【００３８】
【数３】
2015139314.tif 000005
【００３９】
そして、走行曲線生成部１０４は、式（３）に基づいて生成した制限速度曲線に対して、例えば５キロメートル毎時のマージンを持たせた以下で示す式（４）を走行曲線として生成する（ステップＳ１１）。そして、ステップＳ７とステップＳ８の処理を行う。
【００４０】
【数４】
2015139314.tif 000006
【００４１】
以上、本発明の第二の実施形態による走行制御装置３を備える交通システム１の処理フローについて説明した。上述の交通システム１が備える走行制御装置３により、地上ＡＴＰ装置２００から取得した制限速度開始位置に基づいて、当該制限速度開始位置で所定の減速完了速度とするための各位置での制限速度を設定する。走行制御装置３は、代表的な２つの制限速度情報と当該制限速度と対応する位置情報とからなる制限情報を取得する。走行制御装置３は、車両２の現在位置を取得し、車両２の現在速度を取得し、取得した制限情報と、現在位置と、現在速度とに基づいて、走行曲線を生成する。走行制御装置３は、生成した走行曲線と、現在位置とに基づいて速度指令を生成する。
このようにすれば、車両２が走行制御装置３による自動運転を行う際に、走行距離に対する列車の走行時間が短くなる。
また、車両速度制限部１００から走行制御装置３へ出力する情報量が少なくなり、走行制御装置３が行う通信量が低減し伝送遅延が低減する。その結果、走行制御装置３の製造コストを削減することができる。
【００４２】
＜第三の実施形態＞
図７は、本発明の第三の実施形態による走行制御装置３を備える交通システム１の処理フローの一例を示す図である。
次に、本発明の第三の実施形態による走行制御装置３を備える交通システム１について説明する。
なお、第三の実施形態による車両速度制限部１００は、地上ＡＴＰ装置２００から取得した制限速度開始位置と保証減速度βを一定とみなした式（１）とに基づいて、制限速度曲線を設定するものとする。また、走行制御装置３は、次に示す式（５）を保持しているものとする。
【００４３】
【数５】
2015139314.tif 000007
【００４４】
ステップＳ１とステップＳ２の処理を行う。その後、車両速度制限部１００は、図６で示した速度がゼロになる、すなわち減速完了位置までの相対位置ｄｂと、速度ｖｂと、保証減速度βとを含む制限情報を走行制御装置３に出力する（ステップＳ１２）。
【００４５】
走行制御装置３が備える制限情報取得部１０１は、車両速度制限部１００から、減速完了位置までの相対位置ｄｂと、速度ｖｂと、保証減速度βとを含む制限情報を入力する。制限情報取得部１０１は、車両速度制限部１００から入力した制限情報を走行曲線生成部１０４に出力する。
現在位置取得部１０２は、車両速度制限部１００から現在位置を入力する。現在位置取得部１０２は、車両速度制限部１００から入力した現在位置を走行曲線生成部１０４に出力する。
現在速度取得部１０３は、すなわち車両速度制限部１００から現在速度を入力する。現在速度取得部１０３は、車両速度制限部１００から入力した現在速度を走行曲線生成部１０４に出力する。
【００４６】
走行曲線生成部１０４は、制限情報取得部１０１と現在位置取得部１０２と現在速度取得部１０３のそれぞれから制限情報と現在位置と現在速度を入力する。そして、走行曲線生成部１０４は、走行制御装置３が保持している式（５）に、入力した制限情報と現在位置と現在速度を代入して、制限速度曲線を生成する（ステップＳ１３）。そして、ステップＳ１１、ステップＳ７、ステップＳ８の処理を行う。
【００４７】
このようにすれば、車両２が走行制御装置３による自動運転を行う際に、走行距離に対する列車の走行時間が短くなる。
また、車両速度制限部１００から走行制御装置３へ出力する情報量が少なくなり、走行制御装置３が行う演算量が低減する。その結果、走行制御装置３の製造コストを削減することができる。
【００４８】
なお、第二の実施形態や第三の実施形態における走行曲線生成部１０４が制限速度曲線から走行曲線を生成する際に、車両２の速度が高速になるほどより大きな速度マージンを取って走行曲線を生成してもよい。
例えば、走行曲線生成部１０４は、ｘａｔｏ（ｖ）＝ｘ’ａｔｏ（ｖ−２）−０．２ｖ−０．０１ｖ２のように、伝送遅延を補正する“−０．２ｖ”の項や、回生ブレーキの効きの悪さを補正する“−０．０１ｖ２”の項を追加してもよい。
このようにすれば、車両２の走行速度が高速領域であるほど制限速度曲線に接近してブレーキが作動してしまうリスクを低減することができる。
また、本発明の実施形態による走行制御装置３を備える交通システム１に対して説明した制御は、図２で示した減速完了要求位置までの位置の制御に限定するものではない。本発明の実施形態による走行制御装置３を備える交通システム１に対して説明した制御は、車両２の停止限界（速度０の制限速度）までの減速制御にも同様に適用できる。
【００４９】
なお本発明の実施形態について説明したが、上述の走行制御装置３、車両速度制限部１００、地上ＡＴＰ装置２００は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００５０】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００５１】
本発明のいくつかの実施形態を説明したが、これらの実施形態は、例として提示したものであり、発明の範囲を限定するものではない。また、発明の要旨を逸脱しない範囲で、種々の省略、置き換え、変更を行うことができるものである。
【符号の説明】
【００５２】
１・・・交通システム
２・・・車両
３・・・走行制御装置
１００・・・車両速度制限部
１０１・・・制限情報取得部
１０２・・・現在位置取得部
１０３・・・現在速度取得部
１０４・・・走行曲線生成部
１０５・・・速度指令部
２００・・・地上ＡＴＰ装置
【図１】
2015139314.tif 000008
【図２】
2015139314.tif 000009
【図３】
2015139314.tif 000010
【図４】
2015139314.tif 000011
【図５】
2015139314.tif 000012
【図６】
2015139314.tif 000013
【図７】
2015139314.tif 000014